(57)【特許請求の範囲】
【請求項１】
情報処理装置と接続されたインターフェース変換装置と、前記インターフェース変換装置と接続された端末装置と、を含むインターフェース変換システムであって、
前記インターフェース変換装置は、
前記端末装置と接続された、第一インターフェース用の第一コネクタと、
前記情報処理装置と接続された、前記第一インターフェース用の第二コネクタと、
前記情報処理装置と接続された、第二インターフェース用の第三コネクタと、
前記第一インターフェースの形式の情報を受け付けると、該情報を前記第二インターフェースの形式に変換し、また、前記第二インターフェースの形式の情報を受け付けると、該情報を前記第一インターフェースの形式の情報に変換する変換部と、
オンおよびオフのどちらか一方に切り換えられ、オンのときには、前記第二インターフェースで接続する旨の制御信号を出力する操作スイッチ部と、
前記操作スイッチ部から前記制御信号を受け付けているときには、前記変換部を介して、前記第一コネクタを前記第三コネクタに接続し、該制御信号を受け付けていないときには、前記第一コネクタを前記第二コネクタに接続する変換スイッチ部と、を含み、
前記端末装置は、
前記インターフェース変換装置の前記第一コネクタと接続された、前記第一インターフェース用の第四コネクタと、
運用モードで、前記情報処理装置と情報の入出力を行う第一制御部と、
デバッグモードで、前記情報処理装置と情報の入出力を行う第二制御部と、
前記インターフェース変換装置の操作スイッチ部から前記制御信号を受け付け、該制御信号を出力する受付部と、
前記受付部から前記制御信号を受け付けているときには、前記第四コネクタを前記第二制御部に接続し、前記受付部から前記制御信号を受け付けていないときには、前記第四コネクタを前記第一制御部に接続するスイッチ部と、を含む、インターフェース変換システム。
【請求項２】
請求項１に記載のインターフェース変換システムにおいて、
前記操作スイッチ部は、オンのときには、前記制御信号を、前記第一コネクタの所定の端子を介して前記端末装置に出力する、インターフェース変換システム。
【請求項３】
請求項１または２に記載のインターフェース変換システムにおいて、
前記端末装置は、ＰＣカード型無線端末装置であり、
前記第一インターフェースは、ＰＣカードインターフェースである、インターフェース変換システム。
【請求項４】
請求項１ないし３のいずれか１項に記載のインターフェース変換システムにおいて、
前記第二インターフェースは、ＲＳ−２３２Ｃインターフェースである、インターフェース変換システム。
【請求項５】
端末装置と接続された第一インターフェース用の第一コネクタと、情報処理装置と接続された前記第一インターフェース用の第二コネクタと、前記情報処理装置と接続された第二インターフェース用の第三コネクタと、前記第一インターフェースの形式の情報を受け付けると該情報を前記第二インターフェースの形式に変換し、また、前記第二インターフェースの形式の情報を受け付けると該情報を前記第一インターフェースの形式の情報に変換する変換部と、オンおよびオフのどちらか一方に切り換えられる操作スイッチ部と、を含むインターフェース変換装置と、前記インターフェース変換装置の前記第一コネクタと接続された前記第一インターフェース用の第四コネクタと、運用モードで、前記情報処理装置と情報の入出力を行う第一制御部と、デバッグモードで、前記情報処理装置と情報の入出力を行う第二制御部と、を含む端末機と、を含むインターフェース変換システムが行うインターフェース変換方法であって、
前記インターフェース変換装置が、前記操作スイッチ部がオンのときには、第二インターフェースで接続する旨の制御信号を出力する出力ステップと、
前記インターフェース変換装置が、前記制御信号が出力されているときには、前記変換部を介して前記第一コネクタを前記第三コネクタに接続する変換ステップと、
前記端末装置が、前記インターフェース変換装置の操作スイッチ部から前記制御信号を受け付ける受付ステップと、
前記端末装置が、前記制御信号が受け付けられているときには、前記第四コネクタを前記第二制御部に接続する運用ステップと、
前記インターフェース変換装置が、前記制御信号が出力されていないときには、前記第一コネクタを前記第二コネクタに接続する接続ステップと、
前記端末装置が、前記制御信号が受け付けられていないときには、前記第四コネクタを前記第一制御部に接続するスイッチステップと、を含むインターフェース変換方法。
【請求項６】
請求項５に記載のインターフェース変換方法において、
前記出力ステップでは、前記操作スイッチ部がオンのときには、前記制御信号を、前記第一コネクタの所定の端子を介して前記端末装置に出力する、インターフェース変換方法。
【発明の詳細な説明】
【技術分野】
【０００１】
本発明は、インターフェースを変換するインターフェース変換システムおよびインターフェース変換方法に関する。
【背景技術】
【０００２】
近年、ＰＣなどの情報処理装置には、無線通信を行うためのインターフェースが複数設けられている。ユーザは、現在使用している第一インターフェースから第一インターフェースと異なる第二インターフェースに変更する場合、第一インターフェース用のケーブルを外し、第二インターフェース用のケーブルを接続するなど煩わしい処置を行わなければならなかった。
【０００３】
特許文献１（特開２００２−２１８０９８号公報）には、ケーブルを接続しなおさなくても、インターフェースを変更することが可能な無線通信装置が記載されている。
【０００４】
この無線通信装置は、無線回路と、二つの入出力端子と、スイッチとを含む。無線回路は、無線通信を行う回路である。二つの入出力端子のそれぞれは、互いに異なるインターフェース用のケーブルと接続される。また、スイッチは、二つの入出力端子のどちらか一方を、無線回路と接続する。
【０００５】
ユーザは、そのスイッチを手動で切り替えることにより、インターフェースを変更することが可能になる。このため、ユーザは、ケーブルを接続しなおさなくても、インターフェースを変更することが可能になる。
【特許文献１】特開２００２−２１８０９８号公報
【発明の開示】
【発明が解決しようとする課題】
【０００６】
近年、ＰＣカードの形状をした無線端末装置が開発されている。以下では、この無線端末装置をＰＣカード型無線端末装置と呼ぶ。ＰＣカード型無線端末装置は、ＰＣなどの情報処理装置に接続するためのインターフェースとして、ＰＣカードインターフェースと、ＲＳ−２３２Ｃインターフェースとを含む。
【０００７】
なお、ＰＣカードインターフェースは、運用モード用のインターフェースであり、ＲＳ−２３２Ｃインターフェースは、デバッグモード用のインターフェースである。
【０００８】
具体的に言えば、ユーザは、通常の無線通信を行う場合、ＰＣカード型無線端末装置を、ＰＣカードインターフェースを介して、情報処理装置と接続させる。また、ユーザは、ＰＣカード型無線端末装置のデバッグを行う場合、ＰＣカード型無線端末装置を、ＲＳ−２３２Ｃインターフェースを介して、情報処理装置と接続させる。
【０００９】
ＲＳ−２３２Ｃインターフェース用のコネクタ（以下、ＲＳ−２３２Ｃコネクタと呼ぶ）は、ＰＣカード型無線端末装置の筐体の中にある。このため、ユーザは、ＰＣカード型無線端末装置のデバッグを行う場合、その筐体をはがして、ＲＳ−２３２Ｃコネクタをあらわにする必要があった。したがって、手間がかかる。また、はがされた筐体は、ＰＣカード型無線端末装置に付けることはできないため、筐体を作成するための費用が増加していた。
【００１０】
特許文献１に記載の無線通信装置では、その無線通信装置の筐体の外に出ている入出力端子が、ケーブルと接続している。このため、筐体の中に入出力端子がある場合には、その筐体をはがさなくてはならない。
【００１１】
本発明の目的は、デバッグモードと運用モードとの変換を行う手間を軽減することが可能なインターフェース変換システムおよびインターフェース変換方法を提供することである。
【課題を解決するための手段】
【００１２】
上記の目的を達成するために、本発明のインターフェース変換システムは、情報処理装置と接続されたインターフェース変換装置と、前記インターフェース変換装置と接続された端末装置と、を含むインターフェース変換システムであって、前記インターフェース変換装置は、前記端末装置と接続された、第一インターフェース用の第一コネクタと、前記情報処理装置と接続された、前記第一インターフェース用の第二コネクタと、前記情報処理装置と接続された、第二インターフェース用の第三コネクタと、前記第一インターフェースの形式の情報を受け付けると、該情報を前記第二インターフェースの形式に変換し、また、前記第二インターフェースの形式の情報を受け付けると、該情報を前記第一インターフェースの形式の情報に変換する変換部と、オンおよびオフのどちらか一方に切り換えられ、オンのときには、前記第二インターフェースで接続する旨の制御信号を出力する操作スイッチ部と、前記操作スイッチ部から前記制御信号を受け付けているときには、前記変換部を介して、前記第一コネクタを前記第三コネクタに接続し、該制御信号を受け付けていないときには、前記第一コネクタを前記第二コネクタに接続する変換スイッチ部と、を含み、前記端末装置は、前記インターフェース変換装置の前記第一コネクタと接続された、前記第一インターフェース用の第四コネクタと、運用モードで、前記情報処理装置と情報の入出力を行う第一制御部と、デバッグモードで、前記情報処理装置と情報の入出力を行う第二制御部と、前記インターフェース変換装置の操作スイッチ部から前記制御信号を受け付け、該制御信号を出力する受付部と、前記受付部から前記制御信号を受け付けているときには、前記第四コネクタを前記第二制御部に接続し、前記受付部から前記制御信号を受け付けていないときには、前記第四コネクタを前記第一制御部に接続するスイッチ部と、を含む。
【００１３】
また、本発明のインターフェース変換方法は、端末装置と接続された第一インターフェース用の第一コネクタと、情報処理装置と接続された前記第一インターフェース用の第二コネクタと、前記情報処理装置と接続された第二インターフェース用の第三コネクタと、前記第一インターフェースの形式の情報を受け付けると該情報を前記第二インターフェースの形式に変換し、また、前記第二インターフェースの形式の情報を受け付けると該情報を前記第一インターフェースの形式の情報に変換する変換部と、オンおよびオフのどちらか一方に切り換えられる操作スイッチ部と、を含むインターフェース変換装置と、前記インターフェース変換装置の前記第一コネクタと接続された前記第一インターフェース用の第四コネクタと、運用モードで、前記情報処理装置と情報の入出力を行う第一制御部と、デバッグモードで、前記情報処理装置と情報の入出力を行う第二制御部と、を含む端末機と、を含むインターフェース変換システムが行うインターフェース変換方法であって、前記インターフェース変換装置が、前記操作スイッチ部がオンのときには、第二インターフェースで接続する旨の制御信号を出力する出力ステップと、前記インターフェース変換装置が、前記制御信号が出力されているときには、前記変換部を介して前記第一コネクタを前記第三コネクタに接続する変換ステップと、前記端末装置が、前記インターフェース変換装置の操作スイッチ部から前記制御信号を受け付ける受付ステップと、前記端末装置が、前記制御信号が受け付けられているときには、前記第四コネクタを前記第二制御部に接続する運用ステップと、前記インターフェース変換装置が、前記制御信号が出力されていないときには、前記第一コネクタを前記第二コネクタに接続する接続ステップと、前記端末装置が、前記制御信号が受け付けられていないときには、前記第四コネクタを前記第一制御部に接続するスイッチステップと、を含む。
【００１４】
上記の発明によれば、インターフェース変換装置では、操作スイッチ部がオンのときには、端末装置に接続された第一コネクタが、変換部を介して情報処理装置に接続された第三コネクタに接続される。また、操作スイッチ部がオフのときには、第一コネクタが、情報処理装置に接続された第二コネクタに接続される。
【００１５】
また、端末装置では、操作スイッチ部がオンのときには、インターフェース変換装置に接続された第四コネクタが、デバッグモードで情報処理装置と情報の入出力を行う第一制御部に接続される。また、操作スイッチ部がオフのときには、第四コネクタが、運用モードで情報処理装置と情報の入出力を行う第二制御部に接続される。
【００１６】
このため、ユーザは、端末機の筐体をはがして、第二インターフェース用のコネクタをあらわにしなくても、操作スイッチ部をオンにするだけで、デバッグモードで端末機を動作させることが可能になる。また、ユーザは、操作スイッチ部をオフにするだけで、運用モードで端末機を動作させることが可能になる。したがって、デバッグモードおよび運用モードの変換を行う手間を軽減することが可能になる。
【００１７】
また、前記操作スイッチ部は、オンのときには、前記制御信号を、前記第一コネクタの所定の端子を介して前記端末装置に出力することが望ましい。
【００１８】
上記の発明によれば、制御信号が、第一コネクタの所定の端子を介して、端末装置に出力される。
【００１９】
このため、制御信号を端末装置に出力するための端子を新たに追加しなくても、端末機に制御信号を出力することが可能になる。よって、インターフェース変換システムのコストを軽減することが可能になる。
【００２０】
また、前記端末装置は、ＰＣカード型無線端末装置であり、前記第一インターフェースは、ＰＣカードインターフェースであることが望ましい。
【００２１】
また、前記第二インターフェースは、ＲＳ−２３２Ｃインターフェースであることが望ましい。
【発明の効果】
【００２２】
本発明によれば、デバッグモードと運用モードとの変換を行う手間を軽減することが可能になる。
【発明を実施するための最良の形態】
【００２３】
以下、本発明の実施例について図面を参照して説明する。
【００２４】
先ず、本発明の一実施例のインターフェース変換システムの概略を説明する。
【００２５】
図１は、本発明の一実施例のインターフェース変換システムを示したブロック図である。
【００２６】
図１において、インターフェース変換システムは、ＰＣカード型無線端末装置１と、変換アダプタ２と、ＰＣ３とを含む。
【００２７】
ＰＣカード型無線端末装置１および変換アダプタ２は、ＰＣカードインターフェース４で接続される。また、変換アダプタ２およびＰＣ３は、ＰＣカードインターフェース５で接続されても良いし、ＲＳ−２３２Ｃインターフェース６で接続されても良い。なお、ＰＣカードインターフェース４および５は、第一インターフェースの一例であり、ＲＳ−２３２Ｃインターフェース６は、第二インターフェースの一例である。
【００２８】
ＰＣカード型無線端末装置（以下、ＰＣカードと呼ぶ）１は、端末装置の一例である。
【００２９】
変換アダプタ２は、インターフェース変換装置の一例である。変換アダプタ２は、ＰＣカード１およびＰＣ３を接続するインターフェースを変換する。なお、図１には、変換アダプタ２に含まれる変換スイッチ部２１が示されている。
【００３０】
変換スイッチ部２１は、ＰＣカード１およびＰＣ３を、ＰＣカードインターフェース５と、ＲＳ−２３２Ｃインターフェース６とのどちらか一方で接続する。
【００３１】
ＰＣ３は、情報処理装置の一例である。
【００３２】
次に、ＰＣカード１の構成について詳しく説明する。
【００３３】
図２ａは、ＰＣカード１の構成の一例を示したブロック図である。
【００３４】
図２ａにおいて、ＰＣカード１は、ＰＣＭＣＩＡコネクタ１１と、無線部１２と、制御部１３とを含む。
【００３５】
ＰＣＭＣＩＡコネクタ１１は、第四コネクタの一例である。また、ＰＣＭＣＩＡコネクタ１１は、変換アダプタ２と接続される。なお、ＰＣＭＣＩＡコネクタ１１は、電源用端子を含む。
【００３６】
無線部１２は、無線基地局（図示せず）と無線にて通信を行う。
【００３７】
制御部１３は、電源制御部１４と、無線制御部１５と、ＣＰＵ１６と、受付部１７と、スイッチ部１８とを含む。
【００３８】
電源制御部１４は、ＰＣＭＣＩＡコネクタ１１の電源用端子と接続される。電源制御部１４は、その電源用端子から供給された電力をＰＣカード１の全体に供給する。具体的には、電源制御部１４は、その電力を、少なくとも無線部１２、無線制御部１５およびＣＰＵ１６に供給する。なお、無線部１２、無線制御部１５およびＣＰＵ１６は、その電力にて動作する。
【００３９】
無線制御部１５は、運用モードでＰＣ３および無線部１２と情報の入出力を行う。運用モードは、通常の動作を行うモードであり、無線部１２を介して無線基地局と無線通信を行うモードである。
【００４０】
無線制御部１５は、ＰＣカードコントローラ１５ａと、無線コントローラ１５ｂとを含む。
【００４１】
ＰＣカードコントローラ１５ａは、運用モードで、ＰＣ３との情報の入出力を行う。無線コントローラ１５ｂは、運用モードで、無線部１２との情報の入出力を行う。
【００４２】
ＣＰＵ１６は、無線制御部１５の動作を制御する。
【００４３】
また、ＣＰＵ１６は、デバッグモードで、ＰＣ３および無線部１２との情報の入出力を行う。デバッグモードとは、ＰＣカード１（具体的には、少なくとも無線部１２および無線制御部１５）をデバッグするモードである。
【００４４】
なお、無線制御部１５およびＣＰＵ１６が行う処理は、当業者にとって自明なため、詳細な説明は省略する。
【００４５】
受付部１７は、変換アダプタ２から制御信号を受け付け、その制御信号をスイッチ部１８に出力する。具体的には、受付部１７は、ＰＣＭＣＩＡコネクタ１１の所定の端子（以下、無線制御端子と呼ぶ）と接続され、変換アダプタ２からその無線制御端子を介して制御信号を受け付ける。制御信号は、ＰＣカード１およびＰＣ３をＲＳ−２３２Ｃインターフェースで接続する旨の信号である。
【００４６】
スイッチ部１８は、ＰＣＭＣＩＡコネクタ１１を無線制御部１５（具体的には、ＰＣカードコントローラ１５ａ）およびＣＰＵ１６のどちらか一方に接続することで、ＰＣ３を無線制御部１５およびＣＰＵ１６のどちらか一方に接続する。
【００４７】
具体的には、スイッチ部１８は、外部制御端子１７から制御信号を受け付けていないときには、ＰＣＭＣＩＡコネクタ１１を無線制御部１５に接続し、その制御信号を受け付けているときには、ＰＣＭＣＩＡコネクタ１１をＣＰＵ１６に接続する。
【００４８】
図２ｂは、スイッチ部１８の構成の一例を示したブロック図である。図２ｂにおいて、スイッチ部１８は、外部制御端子１８ａと、スイッチ１８ｂと、スイッチ制御部１８ｃとを含む。
【００４９】
外部制御端子１８ａは、受付部１７から制御信号を受け付け、その制御信号をスイッチ制御部１８ｃに出力する。
【００５０】
スイッチ１８ｂは、ＰＣＭＣＩＡコネクタ１１をＰＣカードコントローラ１５ａおよびＣＰＵ１６のどちらか一方に接続する。
【００５１】
スイッチ制御部１８ｃは、外部制御端子１８ａから制御信号を受け付けていないときには、ＰＣ３が無線制御部１５に接続するように、スイッチ１８ｂを制御する。また、スイッチ制御部１８ｃは、外部制御端子１８ａから制御信号を受け付けているときには、ＰＣ３がＣＰＵ１６に接続するように、スイッチ１８ｂを制御する。
【００５２】
次に、変換システムを詳しく説明する。
【００５３】
図３ａは、図１で示した変換システムの詳細を示したブロック図である。なお、図３ａにおいて、ＰＣカード１は、図２ａで示した構成と同じ構成を有するため、説明は省略する。
【００５４】
変換アダプタ２は、変換スイッチ部２１と、ＰＣＭＣＩＡコネクタ２２および２３と、ＲＳ−２３２Ｃコネクタ２４と、操作スイッチ部２５と、変換部２６と、電源制御部２７とを含む。
【００５５】
変換スイッチ部２１は、ＰＣＭＣＩＡコネクタ２２を、ＰＣＭＣＩＡコネクタ２３と、ＲＳ−２３２Ｃコネクタ２４とのどちらか一方に接続することで、ＰＣカード１およびＰＣ３を、ＰＣカードインターフェース５と、ＲＳ−２３２Ｃインターフェース６とのどちらか一方で接続する。
【００５６】
具体的には、変換スイッチ部２１は、操作スイッチ部２５から制御信号を受け付けていないときには、ＰＣＭＣＩＡコネクタ２２をＰＣＭＣＩＡコネクタ２３に接続し、操作スイッチ部２５から制御信号を受け付けているときには、ＰＣＭＣＩＡコネクタ２２をＲＳ−２３２Ｃコネクタ２４に接続する。
【００５７】
なお、変換スイッチ部２１は、ＰＣＭＣＩＡコネクタ２２をＲＳ−２３２Ｃコネクタ２４に接続する場合、ＰＣＭＣＩＡコネクタ２２を、変換部２６を介してＲＳ−２３２Ｃコネクタ２４に接続する。
【００５８】
図３ｂは、変換スイッチ部２１の構成を示したブロック図である。図３ｂにおいて、変換スイッチ部２１は、外部制御端子２１ａと、スイッチ２１ｂと、スイッチ制御部２１ｃとを含む。
【００５９】
外部制御端子２１ａは、操作スイッチ部２５から制御信号を受け付け、その制御信号をスイッチ制御部２１ｂに出力する。
【００６０】
スイッチ２１ｂは、ＰＣＭＣＩＡコネクタ２２をＰＣＭＣＩＡコネクタ２３およびＲＳ−２３２Ｃコネクタ２４のどちらか一方に接続する。
【００６１】
スイッチ制御部２１ｃは、外部制御端子２１ａから制御信号を受け付けていないときには、ＰＣＭＣＩＡコネクタ２２がＰＣＭＣＩＡコネクタ２３に接続するように、スイッチ２１ｂを制御する。また、スイッチ制御部２１ｃは、外部制御端子１８ａから制御信号を受け付けているときには、ＰＣＭＣＩＡコネクタ２２がＲＳ−２３２Ｃコネクタ２４に接続するように、スイッチ２１ｂを制御する。
【００６２】
ＰＣＭＣＩＡコネクタ２２および２３は、電源用端子を含む。なお、ＰＣＭＣＩＡコネクタ２２は、第一コネクタの一例であり、ＰＣＭＣＩＡコネクタ２３は、第二コネクタの一例である。
【００６３】
ＰＣＭＣＩＡコネクタ２２は、ＰＣカード１のＰＣＭＣＩＡ１１と接続される。また、ＰＣＭＣＩＡコネクタ２２の電源用端子は、ＰＣＭＣＩＡコネクタ１１の電源用端子に接続される。
【００６４】
ＰＣＭＣＩＡコネクタ２３は、ＰＣ３と接続される。
【００６５】
ＲＳ−２３２Ｃコネクタ２４は、第三コネクタの一例である。また、ＲＳ−２３２Ｃコネクタは、ＲＳ−２３２Ｃケーブル６ａを介してＰＣ３と接続される。
【００６６】
操作スイッチ部２５は、ユーザにてオンオフが切り換えられる。また、操作スイッチ部２５は、オンのときには、制御信号を出力し、オフのときには、制御信号を出力しない。
【００６７】
具体的には、操作スイッチ部２５は、オンのときには、制御信号を、変換スイッチ部２１と、電源制御部２７と、ＰＣカード１のスイッチ部１８とに出力する。また、操作スイッチ部２５は、スイッチ部１８に制御信号を出力する際には、ＰＣＭＣＩＡコネクタ２２の所定の端子（以下、変換制御端子と呼ぶ）を介して、制御信号をスイッチ部１８に出力する。なお、変換制御端子は、ＰＣカード１のＰＣＭＣＩＡコネクタ１１の無線制御端子と接続される端子である。
【００６８】
変換部２６は、ＲＳ−２３２Ｃコネクタ２４からＲＳ−２３２Ｃインターフェースの形式の情報を受け付けると、その情報をＰＣカードインターフェースの形式の情報に変換し、変換した情報を、ＰＣＭＣＩＡコネクタ２２を介してＰＣカード１に出力する。
【００６９】
また、変換部２６は、ＰＣＭＣＩＡコネクタ２２からＰＣカードインターフェースの形式の情報を受け付けると、その情報をＲＳ−２３２Ｃインターフェースの形式の情報に変換し、変換した情報を、ＲＳ−２３２Ｃコネクタ２４を介してＰＣ３に出力する。
【００７０】
電源制御部２７は、電源（図示せず）およびＰＣＭＣＩＡコネクタ２３の電源用端子と接続される。電源は、例えば、商用電源ラインである。なお、電源は、商用電源ラインに限らず適宜変更可能である。
【００７１】
電源制御部２７は、電源およびＰＣＭＣＩＡコネクタ２３の電源用端子から供給される電力を、ＰＣカード１と、変換アダプタ２の全体とに電力を供給する。
【００７２】
具体的には、電源制御部２７は、変換アダプタ２の全体に電力を供給する際、少なくとも、変換アダプタスイッチ２４および変換部２６に電力を供給する。また、電源制御部２７は、無線部１に電力を供給する際、操作スイッチ部２５から制御信号を受け付けているときには、電源から供給される電力を無線部１に供給する。一方、電源制御部２７は、操作スイッチ部２５から制御信号を受け付けていないときには、ＰＣ３から供給される電力を無線部１に供給する。
【００７３】
ＰＣ３は、ＰＣＭＣＩＡコネクタ３１と、ＲＳ−２３２Ｃコネクタ３２とを含む。
【００７４】
ＰＣＭＣＩＡコネクタ３１は、電源用端子を含む。また、ＰＣＭＣＩＡコネクタ３１は変換アダプタ２のＰＣＭＣＩＡコネクタ２３と接続される。なお、ＰＣＭＣＩＡコネクタ３１の電源用端子は、ＰＣＭＣＩＡコネクタ２３の電源用端子と接続される。
【００７５】
ＲＳ−２３２Ｃコネクタ３２は、ＲＳ−２３２Ｃケーブル６ａを介して変換アダプタ２のＲＳ−２３２Ｃコネクタ２４と接続される。
【００７６】
次に動作を説明する。
【００７７】
ユーザは、オフである操作スイッチ部２５を、オンにし、その後、オフにしたとする。
【００７８】
操作スイッチ部２５は、ユーザにてオンにされると、制御信号を、ＰＣＭＣＩＡコネクタ２２の変換制御端子およびＰＣＭＣＩＡコネクタ１１の無線制御端子を介して、ＰＣカード１のスイッチ部１８に出力し、かつ、その制御信号を、変換スイッチ部２１および電源制御部２７に出力する。
【００７９】
スイッチ部１８は、制御信号を受け付けると、ＰＣＭＣＩＡコネクタ１１をＣＰＵ１６に接続する。
【００８０】
また、変換スイッチ部２１は、制御信号を受け付けると、ＰＣＭＣＩＡコネクタ２２を変換部２１に接続する。
【００８１】
さらに、電源制御部２７は、制御信号を受け付けると、電源から供給される電力を、ＰＣＭＣＩＡ２２および１１の電源用端子を介して電源制御部１４に供給する。電源制御部１４は、その電力をＰＣカード１の全体に供給する。
【００８２】
その後、操作スイッチ部２５は、ユーザにてオフにされると、制御信号の出力を停止する。
【００８３】
制御信号の出力が停止されると、スイッチ部１８は、ＰＣＭＣＩＡコネクタ１１を無線制御部１５に接続する。また、変換スイッチ部２１は、ＰＣＭＣＩＡコネクタ２２をＰＣＭＣＩＡコネクタ２３に接続する。
【００８４】
さらに、電源制御部２７は、ＰＣＭＣＩＡコネクタ２３の電源用端子から供給される電力を、ＰＣＭＣＩＡ２２および１１の電源用端子を介して電源制御部１４に供給する。電源制御部１４は、その電力をＰＣカード１の全体に供給する。
【００８５】
次に、ＰＣカード１の制御部１３が情報をＰＣ３に出力する際の動作を説明する。
【００８６】
先ず、制御部１３（具体的には、ＰＣカードコントローラ１５ａまたはＣＰＵ１６）は、スイッチ部１８およびＰＣＭＣＩＡコネクタ１１を介して変換アダプタ２のＰＣＭＡＣＩＡコネクタ２２に出力する。
【００８７】
操作スイッチ部２５がオフのときには、その情報は、ＰＣＭＡＣＩＡコネクタ２２から、２３を介してＰＣに出力される。一方、操作スイッチ部２５がオンのときには、その情報は、ＰＣＭＡＣＩＡコネクタ２２から変換部２６に出力される。
【００８８】
変換部２６は、その情報を受け付けると、その情報をＲＳ−２３２Ｃインターフェースの形式の情報に変換し、その変換した情報を、ＲＳ−２３２Ｃコネクタ２４およびＲＳ−２３２Ｃケーブル６ａを介して、ＰＣ３に出力する。
【００８９】
本実施例によれば、操作スイッチ部２５は、ユーザにてオンオフが切り換えられる。また、操作スイッチ部２５は、オンのときには、制御信号をＰＣカード１および変換スイッチ部２１に出力する。変換スイッチ部２１は、操作スイッチ部２５から制御信号を受け付けているときには、ＰＣＭＣＩＡコネクタ２２をＰＣＭＣＩＡコネクタ２３に接続する。一方、変換スイッチ部２１は、制御信号を受け付けているときには、ＰＣＭＣＩＡコネクタ２２を、変換部２６を介してＲＳ−２３２Ｃコネクタ２４に接続する。
【００９０】
また、外部制御端子１７は、操作スイッチ部２５から制御信号を受け付け、その制御信号をスイッチ部１８に出力する。スイッチ部１８は、外部制御端子１７から制御信号を受け付けているときには、ＰＣＭＣＩＡコネクタ１１をＣＰＵ１６に接続する。一方、スイッチ部１８は、外部制御端子１７から制御信号を受け付けていないときには、ＰＣＭＣＩＡコネクタを無線制御部１５に接続する。
【００９１】
この場合、ユーザは、ＰＣカード１の筐体をはがして、ＲＳ−２３２Ｃインターフェース用のコネクタをあらわにしなくても、操作スイッチ部２５をオンにするだけで、デバッグモードでＰＣカード１を動作させることが可能になる。また、ユーザは、操作スイッチ部２５をオフにするだけで、運用モードで端末機を動作させることが可能になる。したがって、デバッグモードおよび運用モードの変換を行う手間を軽減することが可能になる。
【００９２】
また、本実施例では、操作スイッチ部２５は、オンのときには、ＰＣＭＣＩＡコネクタ２２の所定の端子を介して、ＰＣカード１に制御信号を出力する。
【００９３】
この場合、制御信号をＰＣカード１に出力するための端子を新たに追加しなくても、ＰＣカード１に制御信号を出力することが可能になる。よって、コストを軽減することが可能になる。
【００９４】
以上説明した実施例において、図示した構成は単なる一例であって、本発明はその構成に限定されるものではない。
【図面の簡単な説明】
【００９５】
【図１】本発明の一実施例のインターフェース変換システムの構成を示したブロック図である。
【図２ａ】ＰＣカード型無線端末装置の構成の一例を示したブロック図である。
【図２ｂ】スイッチ部の構成の一例を示したブロック図である。
【図３ａ】変換システムの詳細な構成の一例を示したブロック図である。
【図３ｂ】変換スイッチ部の構成の一例を示したブロック図である。
【符号の説明】
【００９６】
１        ＰＣカード型無線端末装置
２        変換アダプタ
３        ＰＣ
１１      ＰＣＭＣＩＡコネクタ
１２      無線部
１３      制御部
１４      電源制御部
１５      無線制御部
１５ａ    ＰＣカードコントローラ
１５ｂ    無線コントローラ
１６      ＣＰＵ
１７      受付部
１８      スイッチ部
２１      変換スイッチ部
２２      ＰＣＭＣＩＡコネクタ
２３      ＰＣＭＣＩＡコネクタ
２４      ＲＳ−２３２Ｃコネクタ
２５      操作スイッチ部
２６      変換部
２７      電源制御部
３１      ＰＣＭＣＩＡコネクタ
３２      ＲＳ−２３２Ｃコネクタ
【図１】
0004527681.tif 000002
【図２ａ】
0004527681.tif 000003
【図２ｂ】
0004527681.tif 000004
【図３ａ】
0004527681.tif 000005
【図３ｂ】
0004527681.tif 000006